(57)【要約】【課題】  かご上制御装置の発熱部を自然冷却により適正に冷却させること。【解決手段】  かご１５のドアを開閉させるドアモータ２４を駆動すると共に、可変電圧可変周波数を発生するインバータ５５と、インバータ５５から発生する熱を放熱する放熱フィン５７と、インバータ５５、放熱フィン５７を内蔵すると共に、かご１５上に設けられたかご上制御装置８０であって、放熱フィン５７を冷却するためにかご１５の側面一端部に設けられた吸気口８７ａから気流を吸い込むと共に、該気流をかご１５の側面他端部に設けられた排出口８９ａから排出する風洞８０ａと、かご１５が上昇及び下降する際の少なくも一方に生じる気流を吸気口８７ａに取り込むガイド部とを備えたものである。【選択図】      図４
2009113960.tif 000002
【特許請求の範囲】
【請求項１】
かごのドアを開閉させるドアモータを駆動すると共に、可変電圧可変周波数を発生する電圧可変手段と、
該電圧可変手段から発生する熱を放熱する放熱手段と、
前記電圧可変手段、前記放熱手段を内蔵すると共に、前記かご上に設けられたエレベータのかご上制御装置であって、
前記放熱手段を冷却するために前記かごの側面一端部に設けられた吸気口から気流を吸い込むと共に、該気流を前記かごの側面他端部に設けられた排出口から排出する風洞と、
前記かごが上昇及び下降する際の少なくも一方に生じる気流を前記吸気口に取り込むガイド部と、
を備えたことを特徴とするエレベータのかご上制御装置。
【請求項２】
前記排出口には、設けられて前記気流を排出する排気ファンと、
を備えたことを特徴とする請求項１に記載のエレベータのかご上制御装置。
【請求項３】
前記ガイド部は、前記気流を前記風洞に流すように設けられた風車を、
備えたことを特徴とする請求項１に記載のエレベータのかご上制御装置。
【請求項４】
前記ドアモータを駆動後、所定時間呼び信号が発生しない時に前記排気ファンを駆動する第１制御手段を、
備えたことを特徴とする請求項２又は３に記載のエレベータのかご上制御装置。
【請求項５】
前記かごが最上階停止している時に前記排気ファンを駆動する第２制御手段を、
備えたことを特徴とする請求項２から４のいずれか一つに記載のエレベータのかご上制御装置。
【発明の詳細な説明】
【技術分野】
【０００１】
本発明は、エレベータのかご上制御装置に関するものである。
【背景技術】
【０００２】
従来のエレベータのかご上制御装置は、下記特許文献１に記載のように、ドア制御部、運転スイッチ等が箱体に装着された制御装置をかご上に設置したエレベータにおいて、上記制御装置の箱体内又は上記かごの天井部にかご室内を換気する換気扇を設置し、上記制御装置の発熱部を上記換気扇の風路に接触配置したものが知られている。
【０００３】
かかるかご上制御装置によれば、換気扇を制御装置の箱体内又はかご天井部に設置し、制御装置の発熱部を換気扇の風路に接触させるようにしたため、上記発熱部は換気扇で冷却される。上記発熱部は換気扇で冷却され、専用の冷却ファンは不要になるという効果がある。
【０００４】
【特許文献１】特開平６−３２１４６５号公報
【発明の開示】
【発明が解決しようとする課題】
【０００５】
しかしながら、上記かご上制御装置による冷却ファンの送風能力は、かご内の換気能力と発熱部の冷却能力の双方を兼ね備えなければならず、冷却ファンの送風能力が増加するという課題があった。
【０００６】
本発明は、上記のような課題を解決するためになされたもので、かご上制御装置の発熱部を自然冷却により適正に冷却させるエレベータのかご上制御装置を提供することを目的とする。
【０００７】
また、他の目的は、かご上制御装置の発熱部からの発熱を自然冷却すると共に、これを補助する冷却ファンを適切に駆動することにより省エネルギーを図りながらかご上制御装置の発熱部を、自然冷却を主としながら所定の条件により冷却ファンを駆動するエレベータのかご上制御装置を提供することを目的とする。
【課題を解決するための手段】
【０００８】
第１の発明に係るエレベータのかご上制御装置は、かごのドアを開閉させるドアモータを駆動すると共に、可変電圧可変周波数を発生する電圧可変手段と、該電圧可変手段から発生する熱を放熱する放熱手段と、前記電圧可変手段、前記放熱手段を内蔵すると共に、前記かご上に設けられたエレベータのかご上制御装置であって、前記放熱手段を冷却するために前記かごの側面一端部に設けられた吸気口から気流を吸い込むと共に、該気流を前記かごの側面他端部に設けられた排出口から排出する風洞と、前記かごが上昇及び下降する際の少なくも一方に生じる気流を前記吸気口に取り込むガイド部と、を備えたことを特徴とするものである。
【０００９】
第２の発明に係るエレベータのかご上制御装置は、排出口には、設けられて気流を排出する排気ファンを備えることが好ましい。
これにより、かご上制御装置の放熱手段からの発熱を自然冷却すると共に、これを補助する排気ファンを設けたので、かごが停止していても、放熱手段を適切に冷却できる。
【００１０】
第３の発明に係るエレベータのかご上制御装置におけるガイド部は、気流を風洞に流すように設けられた風車を備えることが好ましい。これにより、かごが上昇又は下降する際に生じる気流を風洞内に流すように設けられた風車を設けているので、かご上制御装置内に気流が流れ込みやすくなり、放熱手段を効率良く冷却できる
【００１１】
第４の発明に係るエレベータのかご上制御装置は、ドアモータを駆動後、所定時間呼び信号が発生しない時に排気ファンを駆動する第１制御手段を備えることが好ましい。これにより、省エネルギーを図りながらかご上制御装置の放熱手段を冷却できる。
【００１２】
第５の発明に係るエレベータのかご上制御装置は、かごが最上階停止している時に排気ファンを駆動する第２制御手段を備えることが好ましい。これにより、省エネルギーを図りながらかご上制御装置の放熱手段を冷却できる。
【発明の効果】
【００１３】
本発明によれば、制御盤内の換気を適正に維持しながら、フィルターの目詰まりを減少させるエレベータのかご上制御装置を得ることができる。
また、かご上制御装置の発熱部からの発熱を自然冷却すると共に、これを補助する排気ファンを適切に駆動することにより省エネルギーを図りながらかご上制御装置の発熱部を、適切に冷却できる。
【発明を実施するための最良の形態】
【００１４】
実施の形態１．
本発明の一実施の形態を図１から図５によって説明する。図１は一実施の形態を示すエレベータの全体図、図２は図１に示すエレベータのドアの正面図、図３は図１に示すエレベータの昇降路内の平面図、図４は図３の矢視ＩＶ−ＩＶを示すかご上制御装置の断面図、図５は図１に示す昇降内の側面図(a)、昇降路内の温度分布を示す曲線図(b)である。
図１において、エレベータは、かご１５を主モータ７により駆動するかご駆動部５と、かご側ドア２１をドアモータ２４によりドア機構３０を介して駆動するドア駆動部５０とを有している。
【００１５】
かご駆動部５は、三相交流電源３を入力して駆動制御部６により主モータ７を駆動して巻上機のシーブ９を駆動してシーブ９に掛けられたロープ１１の一端に固定された錘１３、ロープ１１の他端に固定されたかご１５を昇降するように形成されている。
かご１５には、かご側ドア２１と、呼び信号を発生するかご呼び釦１５ｃとを有し、乗場には、かご側ドア２１と連動して動作する乗場ドア２３と、呼び信号を発生する乗場呼び釦２５とを有している。そして、かご呼び釦１５ｃ及び乗場呼び釦２５からの呼び信号を入力して駆動制御部６に制御指令信号を与えると共に、ドア駆動用のドア制御指令信号を発生する制御器１８を有している。
なお、かご側ドア２１及び乗場ドア２３の開閉を以下単にドアの開閉という。
【００１６】
ドア駆動部５０は、三相交流電源３を入力して脈動電圧を含む直流電圧を発生するコンバータ５１と、該直流電圧を平滑化させるコンデンサ５３と、直流電圧を可変電圧可変周波数によりドアモータ２４を駆動するインバータ５５とを有している。そして、上記ドア制御指令信号がインバータ駆動部５７を介してインバータ５５に入力される。これらコンバータ５１、コンデンサ５３、インバータ５５を内蔵したかご上制御装置８０がかご１５の天部に固定されている。
また、コンバータ５１の出力には、運転スイッチ７２を介して排気ファン７０を動作するように形成されている。
【００１７】
図２において、ドア機構３０は、かご側ドア２１上部に設けられた桁３１と、桁３１の下端よりに水平に設けられたレール３２とを備え、かご側ドア２1はレール３２に支持され、吊り手３９に案内されることにより水平方向に移動するように形成されている。
【００１８】
ドアモータ２４の出力軸に固定された第１駆動車３５とが桁３１に取り付けられており、無端状の歯車付ベルト３７が第１駆動車３５と、桁３１に固定された第２駆動車３８に掛けられている。そして、ベルト３７の動作をかご側ドア２１に伝播する連結具３９を有している。これらの機構によりドアモータ２４が出力するトルクをベルト３７、連結具３９を介して図３に示す乗場側ドア２３に伝達してドアの戸開閉動作をするように構成されている。かご側ドア２１は全開状態になるとストッパ３６に当接して停止する。
【００１９】
図３において、昇降路４０には、かご１５と、錘１３とが昇降可能に収納され、かご１５上には、かご上制御装置８０が設けられている。かご上制御装置８０は、かご１５上から一部が突出している。
図３及び図４において、かご上制御装置８０は、全体が箱状で、一端部が開放され、天板８１と、前面板８３と、後面板８５と、吸気口８７ａを有する第１側面板８７と、排出口８９ａを有する第２側面板８９とを備え、内部に風洞８０ａが形成されており、該排出口８９ａには、排気ファン７０が設けられている。吸気口８７ａには、フィルター９１が係合固定されている。そして、かご１５が上昇又は下降する際に生じる気流を吸い込むために、かご１５の側面よりも突出すると共に、吸気口８７ａに気流を案内するＴ形状の案内板８２が設けられており、略Ｌ形状の風洞を有する気流案内部(ガイド部)が形成されている。ここで、かご１５の側面よりも突出して形成されているのは、かご１５が上昇又は下降する際に生じる気流を吸い込み易くするためである。
【００２０】
かご１５上には、四つの筒部材５９を介して配線基板６１が固定され、配線基板６１には、コンバータ５１、コンデンサ５３、インバータ５５が固定されており、風洞８０ａ内には、コンバータ５１、インバータ５５から発生した熱を放散させる放熱フィン５７が設けられている。そして、配線基板６１の各側面端からかご１５の天板に傾斜板９３、９５が固定されている。
【００２１】
排気ファン７０は、かご１５が最上階に停止すると、最上階では、図５に示すように昇降路４０の温度が高くなるので、かご上制御装置８０の内部の換気を促進するために、第２制御手段としての運転スイッチ７２を閉成して動作するように形成されている。また、排気ファン７０は、呼び信号が一定時間、例えば、停止してから５秒から１０秒経過すると、第１制御手段とはして運転スイッチ７２を閉成して動作するように形成されている。これは、かご１５が停止している際にドアを開閉してコンバータ５１、インバータ５５から発熱が生じる。この際に、すぐにかご１５が上昇又は下降すれば、この際に生じる気流をかご上制御装置８０の風洞内８０ａに取り込み、換気が促進するが、かご１５の停止が継続すると、該喚起が不十分となる。このために、排気ファン７０を動作してかご上制御装置８０の風洞内８０ａの強制換気を図るためである。
【００２２】
上記のように構成されたかご上制御装置の動作を図１から図５を参照して説明する。
いま、かご１５上昇方向(下降方向)に走行しているとすると、図４に示すように、案内板８２から実線(点線)の矢印のように気流をフィルター９１を介してかご上制御装置８０の風洞８０ａ内に取り込み、実線(一点鎖線)の矢印のように流れ不動作の排気ファン７０を介して排出される。
また、かご１５が最上階に到着すると、運転スイッチ７２を閉成して排気ファン７０を動作してかご上制御装置８０内の換気を促進する。
【００２３】
次に、かご１５が停止して、インバータ５５などを動作してドアを開閉し、呼び信号が一定時間発生しないと、運転スイッチ７２を閉成して排気ファン７０を動作してかご上制御装置８０の風洞８０ａの換気を促進する。
【００２４】
実施形態２.
本発明の他の実施の形態を図６によって説明する。図６は、本発明の他の実施の形態によるかご上制御装置の断面図である。 図６中、図４と同一符号は同一部分を示し、その説明を省略する。
図６において、かご上制御装置８０の一端側に風車１０１を設け、該風車１０１によりかご１５が上昇又は下降する際に生じる気流を吸い込み易く形成されている。
【００２５】
上記実施形態のエレベータのかご上制御装置は、かご１５のドアを開閉させるドアモータ２４を駆動すると共に、可変電圧可変周波数を発生するインバータ５５と、インバータ５５から発生する熱を放熱する放熱フィン５７と、インバータ５５、放熱フィン５７を内蔵すると共に、かご１５上に設けられたエレベータのかご上制御装置８０であって、放熱フィン５７を冷却するためにかご１５の側面一端部に設けられた吸気口８７ａから気流を吸い込むと共に、該気流をかご１５の側面他端部に設けられた排出口８９ａから排出する風洞８０ａと、かご１５が上昇及び下降する際の少なくも一方に生じる気流を吸気口８７ａに取り込むガイド部とを備えたものである。
これにより、かご上制御装置８０のインバータ５５などの発熱部を自然冷却により適正に冷却できる。
【００２６】
上記実施形態のかご上制御装置８０は、排出口８９ａには、設けられて気流を排出する排気ファン７０を設けることが好ましい。これにより、かご上制御装置８０のインバータ５５等からの発熱を自然冷却すると共に、これを補助する排気ファン７０を設けたので、かご１５が停止していても、インバータ５５などの発熱部を適切に冷却できる。
【００２７】
上記実施形態のかご上制御装置８０は、ドアモータ２４を駆動後、所定時間呼び信号が発生しない時に排気ファン７０を駆動する運転スイッチ７２をオン(閉成)させることが好ましい。これにより、省エネルギーを図りながらかご上制御装置８０のインバータ５５等の発熱部を冷却できる。
【００２８】
上記実施形態のかご上制御装置８０は、かご１５が最上階停止している時に排気ファン７０を駆動する運転スイッチ７２をオン(閉成)させることが好ましい。これにより、省エネルギーを図りながらかご上制御装置８０のインバータ５５等の発熱部を冷却できる。
【００２９】
上記実施形態のかご上制御装置８０は、かご１５が上昇又は下降する際に生じる気流を風洞８０内に流すように設けられた風車１０１を設けているので、かご上制御装置８０内に気流が流れ込みやすくなり、インバータ５５等を効率良く冷却できる。
【産業上の利用可能性】
【００３０】
本発明は、エレベータのかご上制御装置に適用できる。
【図面の簡単な説明】
【００３１】
【図１】本発明の一実施の形態を示すエレベータの全体図である。
【図２】図１に示すエレベータのドアの正面図である。
【図３】図１に示すエレベータの昇降路内の平面図である。
【図４】図３の矢視ＩＶ−ＩＶを示すかご上制御装置の断面図である。
【図５】図１に示す昇降内の側面図(a)、昇降路内の温度分布を示す曲線図(b)である。
【図６】本発明の他の実施の形態によるかご上制御装置の断面図である。
【符号の説明】
【００３２】
１５ かご、２４ ドアモータ、５５ インバータ(電圧可変手段)、５７ 放熱フィン(放熱手段)、７０ 排気ファン、７２ 運転スイッチ(第１及び第２制御手段)、８０ かご上制御装置、８０ａ 風洞、８７ａ 吸気口、８９ａ 排気口、１０１ 風車。
【図１】
2009113960.tif 000003
【図２】
2009113960.tif 000004
【図３】
2009113960.tif 000005
【図４】
2009113960.tif 000006
【図５】
2009113960.tif 000007
【図６】
2009113960.tif 000008